(57)【特許請求の範囲】
【請求項１】
移動金型に固定された取付ベースと、該取付ベースに支持され弾性部材で戻り方向に付勢されて所望ストロークで所定方向に往復移動されるカムスライダーと、該カムスライダーを当接面で作用方向に移動させるもので固定金型に固定されるカムドライバーとからなる吊りカムユニットであって、
前記取付ベースにカムスライダーを支持させる構造は、当該取付ベースとカムスライダーとの両側壁間に係合し該カムスライダーを所定方向へ摺動自在に挟装して支持するスライドキーパーのみによって支持されるものであると共に、
前記弾性部材は、カムスライダーの凹部に収納され、この弾性部材の一端側が前記取付ベースの取付孔に嵌合されるバネガイドのバネ座に当てて支持されることにより、前記凹部を貫通し取付ベースに固定されるカムドライバー吊持用のガイドバーを不要にしたこと、
を特徴とする吊りカムユニット。
【発明の詳細な説明】
【０００１】
【発明の属する技術分野】
本発明は、プレス金型におけるカムユニットに係り、例えば、自動車用のボディフレームに小型の穴を明けるために使用される吊りカムユニットに関する。
【０００２】
【従来の技術】
従来、吊りカムユニットは、図５（イ）、（ロ）に示すように、通常のカムユニットとは上下を逆にして取り付けるもので、上下移動する移動金型２０に固定された取付ベース２１と、該取付ベース２１に支持され弾性部材２２で戻り方向に付勢されて所望ストロークで所定方向に往復移動されるカムスライダー２３と、該カムスライダー２３を傾斜した当接面２４ａで作用方向に移動させもので固定金型２５に固定されるカムドライバー２４とからなる吊りカムユニットで構成されている。
【０００３】
前記カムスライダー２３の先端面２３ａには、リテーナを介して穴明け用のパンチが取付けられる。そして、前記パンチを所定のストロークで斜め方向に往復移動させて、被加工物である自動車用のボディフレーム等に穴を明けている。
【０００４】
【発明が解決しようとする課題】
しかしながら、上記従来の吊りカムユニットは、取付ベース２１とカムスライダー２３との組立を、図５に示すように、カムスライダー２３の上部略中央に設けた凹部に、ガイドバー２６を嵌合させ、更に当該カムスライダー２３の上部に平板状のプレート２７をカバーさせて六角ボルト２８で固定し、前記ガイドバー２６にカムスライダー２３を吊持させた状態で、当該ガイドバー２６を前記取付ベース２１に六角ボルトで取り付ける構造である。
【０００５】
前記ガイドバー２６には、突出部２６ａが垂設され、この突出部２６ａの内側壁にスプリングガイド棒２９が略水平に固定され、このスプリングガイド棒２９に弾性部材２２であるコイルスプリングが嵌装される。よって、図６に示すように、スプリングガイド棒２９とコイルスプリングとをカムスライダー２３の凹部に嵌装させながら当該カムスライダー２３の上部に前記ガイドバー２６を嵌合させる手順となる。
【０００６】
このように、前記取付ベース２１とカムスライダー２３との組立構造は、前記コイルスプリング等の装着を含めて手順に制約があって、部品点数も多く手間が掛かって工数がかかるという課題がある。本発明に係る吊りカムユニットは、このような課題を解消するために提案されるものである。
【０００７】
【課題を解決するための手段】
本発明に係る吊りカムユニットの上記課題を解決するための要旨は、移動金型に固定された取付ベースと、該取付ベースに支持され弾性部材で戻り方向に付勢されて所望ストロークで所定方向に往復移動されるカムスライダーと、該カムスライダーを当接面で作用方向に移動させるもので固定金型に固定されるカムドライバーとからなる吊りカムユニットであって、
前記取付ベースにカムスライダーを支持させる構造は、当該取付ベースとカムスライダーとの両側壁間に係合し該カムスライダーを所定方向へ摺動自在に挟装して支持するスライドキーパーのみによって支持されるものであると共に、
前記弾性部材は、カムスライダーの凹部に収納され、この弾性部材の一端側が前記取付ベースの取付孔に嵌合されるバネガイドのバネ座に当てて支持されることにより、前記凹部を貫通し取付ベースに固定されるカムドライバー吊持用のガイドバーを不要にしたことである。
【０００９】
本発明に係る吊りカムユニットによれば、前記スライドキーパーによって、例えば、取付ベースにカムスライダーが挟装されて摺動自在に支持され、簡易な構造によって構成されることになり、部品点数が減少すると共に組立易くなり分解交換等も容易となり、また、吊りカムユニット全体の重量も軽減されてコンパクトになる。更に、スライドキーパーの取付精度を高めることで、例えば、該スライドキーパーとカムスライダーとの間に所望のクリアランスが確保されて、吊りカムユニットとしての安定したパンチ加工性能を維持できるものである。
【００１０】
【発明の実施の形態】
次に、本発明に係る吊りカムユニットについて図面を参照して説明する。なお、発明の理解の容易のため従来例に対応する部分には従来例と同一符号を付けて説明する。
【００１１】
本発明の吊りカムユニット１は、図１乃至図２に示すように、移動金型２０に固定された取付ベース２と、該取付ベース２に支持され弾性部材（コイルスプリング）２２で戻り方向に付勢されて、所望ストロークで所定方向（戻り方向と作用方向）に往復移動されるカムスライダー３と、該カムスライダー３を当接面２４ａで作用方向に移動させるもので、固定金型２５に固定されるカムドライバー２４とからなる。
【００１２】
前記取付ベース２とカムスライダー３とは、例えば、当該取付ベース２の側面において、肉部を削ぎ落として挟幅にした両側壁２ａ，２ｂのそれぞれに六角ボルト等で固定して設けられるもので、基部４ａが側壁２ａ，２ｂに固定されるとともに先端部４ｂがカムスライダー３の上部に設けられたスライド溝３ａに係合して、当該カムスライダー３を挟装して支持するスライドキーパー４，４によって組み立てらている。
【００１３】
前記スライドキーパー４，４は、例えば、図２乃至図３（イ）に示すように、矩形平板状のブロックであり、基部４ａ側に取り付け固定用のボルト孔４ｃが貫通して設けられ、先端部４ｂにはＬ字型の係合部４ｄが設けられて、形成されている。
【００１４】
一方、前記カムスライダー３の上部には、前記係合部４ｄが嵌合するスライド溝３ａが両側壁に一対設けられ、その溝深さは、その溝底面３ｂに対向する前記係合部４ｄの端面４ｅとの間で間隙が生じるように設定される。
【００１５】
また、図３（ロ）に示すように、前記スライドキーパー４，４によって挟装されているカムスライダー３の部分（上部）において、該スライドキーパー４の内壁面４ｆとカムスライダー３の側壁面３ｃとの間に、所望のクリアランスαが設けられている。
【００１６】
前記スライドキーパー４を取付ベース２の側壁２ａ，２ｂに高精度に位置決めして取り付けることで、カムスライダー３の側壁面３ｃとの間に、クリアランスαにして適度な間隙が設定できるものである。
【００１７】
また、図２に示すように、カムスライダー３を戻り方向に付勢する弾性部材であるコイルスプリング２２を支持するバネガイド５は、バネ座５ａと位置決め突起５ｂと、嵌合突起５ｃとからなる。該バネガイド５は、取付けに際しては、図４に示すように、取付ベース２における取付孔２ｃに前記嵌合突起５ｃを差し込んで嵌合させ（遊嵌状態でもよい）、凹部３ｄにコイルスプリング２２を収納して、該コイルスプリング２２の一端側を前記バネ座５ａに当てながら押さえつけて、カムスライダー３を取付ベースにセットするものである。
【００１８】
前記バネガイド５の位置決め突起５ｂは、従来のバネガイドに比べて著しく長さが短くなり、カムスライダー３の組立が容易になる。
このようにして、本発明の吊りカムユニット１は、前記スライドキーパー４，４によってカムスライダー３を挟装する簡易な構造となって組立が容易であり、取付ベース２の肉厚も薄くなって重量が軽量化されるものである。カムスライダー３の往復移動も前記クリアランスαが維持されて、スムーズな往復移動となるものである。
【００１９】
【発明の効果】
以上説明したように、本発明に係る吊りカムユニットは、移動金型に固定された取付ベースと、該取付ベースに支持され弾性部材で戻り方向に付勢されて所望ストロークで所定方向に往復移動されるカムスライダーと、該カムスライダーを当接面で作用方向に移動させるもので固定金型に固定されるカムドライバーとからなる吊りカムユニットであって、前記取付ベースにカムスライダーを支持させる構造は、当該取付ベースとカムスライダーとの両側壁間に係合し該カムスライダーを所定方向へ摺動自在に挟装して支持するスライドキーパーのみによって支持されるものであると共に、前記弾性部材は、カムスライダーの凹部に収納され、この弾性部材の一端側が前記取付ベースの取付孔に嵌合されるバネガイドのバネ座に当てて支持されることにより、前記凹部を貫通し取付ベースに固定されるカムドライバー吊持用のガイドバーを不要にしたので、吊りカムユニットとして部品点数が削減され、かつ、簡易な構造となって組立・分解が容易であり、取付ベースの肉厚も薄くなって重量が軽量化されコンパクトになるという優れた効果を奏するものである。
【図面の簡単な説明】
【図１】本発明に係る吊りカムユニットの斜視図である。
【図２】同本発明に係る吊りカムユニットの正面図である。
【図３】同本発明に係る吊りカムユニットの中央部分の断面図（イ）、その一部の拡大断面図（ロ）である。
【図４】同本発明に係る吊りカムユニットの組立の様子を示す説明図である。
【図５】従来例に係る吊りカムユニットの断面図（イ）、正面図（ロ）である。
【図６】同従来例に係る吊りカムユニットの一部拡大断面図である。
【符号の説明】
１  吊りカムユニット、２  取付ベース、３  カムスライダー、
４  スライドキーパー、５  バネガイド。
【図１】
0003549771.tif 000002
【図２】
0003549771.tif 000003
【図３】
0003549771.tif 000004
【図４】
0003549771.tif 000005
【図５】
0003549771.tif 000006
【図６】
0003549771.tif 000007